(57)【要約】【課題】誤感知防止のためのキー入力装置を提供する。【解決手段】本発明の一実施の形態に係るキー入力装置は、誤感知防止のためのキー入力装置に関するものであって、スイッチがオン状態である時、信号入力経路に入力されたキー認識信号がスイッチの信号出力経路と接続された一端に供給されることを遮断するための遮断部を含むキー入力装置によって同時にあるいは順次に複数のキー入力が発生する場合、それを正確に認識することができる。【選択図】図２
2009211694.tif 000002
【特許請求の範囲】
【請求項１】
複数の信号入力経路と、複数の信号出力経路と、両端部がそれぞれ前記信号入力経路と前記信号出力経路とに接続され、キー入力の有無によってオン/オフされる複数のスイッチと、を含むキー入力装置において、
前記スイッチがオン状態である時、前記信号入力経路に入力されたキー認識信号が、前記オン状態にある前記スイッチの前記信号出力経路と接続された一端に供給されることを遮断する遮断部を含むことを特徴とする誤感知防止のためのキー入力装置。
【請求項２】
前記遮断部は、スイッチングダイオードであることを特徴とする請求項１に記載の誤感知防止のためのキー入力装置。
【請求項３】
前記キー入力装置は、
前記スイッチがオン状態である時、当該スイッチが接続された前記信号出力経路を通じてキー認識信号を出力する信号出力部と、前記スイッチがオン状態である時、当該スイッチが接続された前記信号入力経路に入力される前記キー認識信号を感知する信号感知部と、前記信号感知部で感知される前記キー認識信号の前記信号出力経路及び前記信号入力経路の情報に基づいてキー入力を検出するキー検出部と、を含む制御部をさらに含み、
前記遮断部は、一端が前記信号感知部に接続され、その他端が前記スイッチの前記信号出力経路と接続された一端に接続され、当該スイッチがオン状態である時、前記信号入力経路に入力されたキー認識信号が、当該スイッチの一端に供給されることを遮断することを特徴とする請求項１に記載の誤感知防止のためのキー入力装置。
【請求項４】
前記信号出力部は、前記複数の信号出力経路を通じて順次に前記キー認識信号を出力し、
前記信号感知部は、前記キー認識信号を順次に感知し、
前記キー検出部は、前記信号感知部で順次に感知される前記キー認識信号の入力時間差に基づいて前記キー入力された前記スイッチの前記信号出力経路を識別することを特徴とする請求項３に記載の誤感知防止のためのキー入力装置。
【請求項５】
前記信号出力部は、前記キー認識信号を出力する前記信号出力経路以外の信号出力経路には、ハイインピーダンス値を出力することを特徴とする請求項４に記載の誤感知防止のためのキー入力装置。
【発明の詳細な説明】
【技術分野】
【０００１】
本発明は、移動通信端末に係り、特に、誤感知防止のためのキー入力装置に関する。
【背景技術】
【０００２】
移動通信技術が発達するにつれて携帯しやすい移動通信端末の機能が多様化されている。移動通信端末を用いて音声通話はもとより、超高速インタラクティブゲーム、大容量のデータ伝送（ＦＴＰ：Ｆｉｌｅ  Ｔｒａｎｓｆｅｒ  Ｐｒｏｔｏｃｏｌ）及びモバイルＩＰ−ＴＶなどを含むクワドロプルプレイサービス（Ｑｕａｄｒｕｐｌｅ  Ｐｌａｙ  Ｓｅｒｖｉｃｅｓ）などの利用が増加している。したがって、移動通信端末を用いて多様なマルチメディアサービスをより効果的に提供することができる技術開発についての関心がさらに高くなっている。
【０００３】
一例として、無線インターネットユーザは、次世代無線インターネットプラットホームであるＢＲＥＷ（Ｂｉｎａｒｙ  Ｒｕｎｔｉｍｅ  Ｅｎｖｉｒｏｎｍｅｎｔ  ｆｏｒ  Ｗｉｒｅｌｅｓｓ）技術が搭載された移動通信端末を用いて移動通信ネットワークに接続することができる。そして、ＢＲＥＷ技術が搭載された移動通信ネットワークを通じて無線で所望のデータをダウンロードするか、必要によって、自分の移動通信端末のソフトウェアも、無線でアップグレードすることができる。このＢＲＥＷによる無線インターネットプラットホームは、移動電話端末に対してパソコンのＯＳ（Ｏｐｅｒａｔｉｎｇ  Ｓｙｓｔｅｍ）のような機能を提供するものであって、ゲーム、動画などを含む多くのソフトウェアを実行させるミドルウェアである。特に、無線ＢＲＥＷプラットホームは、３次元グラフィック及び強力な互換性などを特徴とする。
【０００４】
このように移動通信端末を通じたサービスは多様化され、これらのサービスを活用するためには、さらに移動通信端末の精密な制御が必要である。例えば、迫真感あふれるゲーム環境を提供するために複数のキーを同時に押すか、少なくとも一つのキーを押した状態で、他のキーを入力することで、多様な入力信号を生成させる必要がある。しかし、既存の移動通信端末のキー入力システムでは、二つのキーを押した状態で、他の一つのキーを入力するか、同時に３個のキー入力が発生する場合、それを正確に認識することが不可能である。
【先行技術文献】
【特許文献】
【０００５】
【特許文献１】特開２００３−１５０３０２号公報
【発明の概要】
【発明が解決しようとする課題】
【０００６】
本発明は、上述のような背景を鑑みてなされたものであり、複数個のキー入力が発生してもキー入力を正確に認識することができるキー入力装置を提供することを目的とする。
【課題を解決するための手段】
【０００７】
このような技術的課題は、複数の信号入力経路、複数の信号出力経路、及び両端がそれぞれ前記信号入力経路と前記信号出力経路とに接続され、キー入力の有無によってオン/オフされる複数のスイッチを含むキー入力装置がスイッチがオン状態である時、前記信号入力経路に入力されたキー認識信号が、前記スイッチの前記信号出力経路と接続された一端に供給されることを遮断するための遮断部を含むことによって達成される。
【発明の効果】
【０００８】
本発明によれば、同時にあるいは順次に複数のキー入力が発生する場合、それを正確に認識することができる。したがって、制限されたキーマトリックスの組み合わせである従来のキー入力装置でも多様なキー入力信号を生成させることが可能である。
【図面の簡単な説明】
【０００９】
【図１】キー入力を誤感知した時のキー認識信号の流れの例を示す回路図である。
【図２】本実施の形態に係るキー入力装置の構成を図示したブロック図である。
【図３】信号出力部から出力される信号を図示したテーブルである。
【図４】本実施の形態に係るキー入力検出装置におけるキー認識信号の流れの例を示す図である。
【発明を実施するための形態】
【００１０】
前述した、そして、追加的な本発明の態様は、添付した図面を参照して説明する望ましい実施の形態を通じてさらに明確になる。以下では、本発明を、このような実施の形態を通じて当業者が容易に理解して再現できるように詳しく説明する。
【００１１】
図１は、キー入力を誤感知した時のキー認識信号の流れの例を示す回路図である。例えば、図１に示すＵＰキー、ＤＯＷＮキーの入力がある場合、すなわち、スイッチＳＷ２、ＳＷ３がオン（ＯＮ）状態である場合に、図２に示すキー検出部１３０は、ＫＥＹＤ０の信号出力経路を通じてロー（“Ｌｏｗ”）信号が出力される時点で信号入力経路であるＫＥＹＳＥＮＳＥ３とＫＥＹＳＥＮＳＥ４とにロー（“Ｌｏｗ”）信号、すなわち、キー認識信号が感知されれば、ＵＰキー、ＤＯＷＮキーの入力を認識することができる。すなわち、本実施の形態において、図２に示す信号出力部１１０は、キー認識信号としてロー信号を出力するために、信号入力経路ＫＥＹＳＥＮＳＥ３とＫＥＹＳＥＮＳＥ４とが信号出力経路ＫＥＹＤ０とショート状態である時、ＵＰキー、ＤＯＷＮキーの入力を判断することができる。
【００１２】
そして、このショート状態で数字キー８が押されれば、すなわち、スイッチＳＷ１８がオン状態になれば、図４に示すように、図１に太い線で図示した経路ａに沿って信号出力経路ＫＹＰＤ３にロー信号が出力される時点で、信号入力経路ＫＥＹＳＥＮＳＥ３にロー信号が感知されなければならない。ところで、この際、スイッチＳＷ２とスイッチＳＷ３とがオン状態であるために、図１に太い点線で図示した経路ｂに沿って信号入力経路ＫＥＹＳＥＮＳＥ４でもロー信号が感知される。
【００１３】
すなわち、この場合に、キー検出部１３０は、実際はオフ状態であるスイッチＳＷ１７をオン状態であると誤って判断し、これにより、実際に押されていない数字キー７が押されたと誤感知してしまう。
【００１４】
本実施の形態は、このように複数のキー入力が発生する場合に、実際に押されていないキーを押されたと誤感知することを防止するために導出されたものである。
【００１５】
図２は、本実施の形態に係るキー入力装置の構成を図示したブロック図である。図示されたように、本発明によるキー入力検出装置は、制御部１００、スイッチ２００及び遮断部３００を含む。スイッチ２００としては、図示されたように、ＵＰ，ＤＯＷＮ，ＲＩＧＨＴ，ＬＥＦＴ，ＯＫ，１〜９，０，Ｆ１〜Ｆ４，＊，＃，ＳＩＤＥの各キーに対応する２４個のスイッチＳＷ２〜スイッチＳＷ２５が含まれる。図１、図２及び図４では、Ｍ個×Ｎ個のマトリクス状に配列されたスイッチ２００の例を図示したが、この配列に限定されるものではない。例えば、他のファンクションキーや特定の機能キー等が含まれるものでもよい。なお、図１、図２及び図４では、信号入力経路がＭ本、信号出力経路がＮ本の構成例を示している。
【００１６】
制御部１００は、移動通信端末に備えられて全般的な動作を制御するマイクロプロセッサとして実現可能である。本実施の形態において、制御部１００は、複数の信号出力経路ＫＹＰＤ０、ＫＹＰＤ１、ＫＹＰＤ２、ＫＹＰＤ３、ＫＹＰＤ４を含む信号出力部１１０と、複数の信号入力経路ＫＥＹＳＥＮＳＥ０、ＫＥＹＳＥＮＳＥ１、ＫＥＹＳＥＮＳＥ２、ＫＥＹＳＥＮＳＥ３、ＫＥＹＳＥＮＳＥ４を含む信号感知部１２０と、及び信号感知部１２０に入力されるキー認識信号の前記信号出力経路及び前記信号入力経路の情報に基づいてキー入力を検出するキー検出部１３０と、を含む。
【００１７】
図３は、信号出力部１１０から出力されるキー認識信号を図示したテーブルである。図３に図示されたように、信号出力部１１０は、複数の信号出力経路ＫＹＰＤ０、ＫＹＰＤ１、ＫＹＰＤ２、ＫＹＰＤ３、ＫＹＰＤ４を通じて順次に一つの信号出力経路にキー認識信号としてロー（“Ｌｏｗ”）信号を出力する。例えば、図３に図示した時間の遷移（ｔ１→ｔ２→ｔ３→ｔ４→ｔ５）に応じて、信号出力経路ＫＹＰＤ０、ＫＹＰＤ１、ＫＹＰＤ２、ＫＹＰＤ３、ＫＹＰＤ４の順にロー信号を出力する。そして、信号出力部１１０は、そのロー信号を出力する信号出力経路以外の信号出力経路には、ハイインピーダンス値（Ｈｉ−Ｚ）を出力する。
【００１８】
キー検出部１３０は、信号感知部１２０に入力されるキー認識信号の信号出力経路及び信号入力経路の情報に基づいてキー入力を検出する。前述したように、信号出力部１１０は、ロー（“Ｌｏｗ”）信号を順次に出力するために、キー検出部１３０は、入力されるキー認識信号の入力時間差に基づいて、入力されるキー認識信号が如何なる信号出力経路を通じて出力された信号であるか否かを識別することができる。
【００１９】
一例として、キー検出部１３０は、信号出力経路ＫＹＰＤ０にロー信号が出力される時点で、信号入力経路ＫＥＹＳＥＮＳＥ１にキー認識信号が入力されれば、スイッチＳＷ５がオン状態であることを判断することができる。すなわち、ＬＥＦＴキーの入力を検出することができる。また、信号出力経路ＫＹＰＤ１にロー信号が出力される時点で、信号入力経路ＫＥＹＳＥＮＳＥ３を通じてキー認識信号の入力が信号感知部１２０において感知されれば、スイッチＳＷ３がオン状態であることを判断することができ、キー検出部１３０は、ＤＯＷＮキーの入力を検出することができる。
【００２０】
遮断部３００は、一端が信号感知部１２０に接続され、その他端がスイッチ２００の一端に接続されて、信号出力部１１０に接続された一端からスイッチ２００に接続された他端にキー認識信号が通過することを遮断する。
【００２１】
より詳細に、遮断部３００は、アノード（Ａｎｏｄｅ）が信号感知部１２０に接続され、カソード（Ｃａｔｈｏｄｅ）がスイッチ２００の一端に接続されるダイオード（Ｄｉｏｄｅ）である。しかし、遮断部３００は、これに限定されるものではない。前述したように、スイッチ２００は、一端が信号出力部１１０と接続され、その他端が信号感知部１２０と接続される。したがって、遮断部３００は、信号出力部１１０から出力されたキー認識信号が、信号感知部１２０と接続されたスイッチ２００の一端から信号出力部１１０と接続された他端に流れることを遮断することができる如何なる構成も包括するように考慮される。
【００２２】
図２に図示されたキー入力装置は、遮断部３００としてダイオードＤ３〜Ｄ７が複数のスイッチ２００（スイッチＳＷ２〜スイッチＳＷ２５）のうち一部（スイッチＳＷ２〜スイッチＳＷ６）にのみ備えられたが、あらゆるスイッチ２００に備えられても、ある一部にのみ備えられてもよく、遮断部３００の数には制限がない。
【００２３】
また、本実施の形態において、信号感知部１２０は、実際としては、スイッチングダイオード３００の電位障壁ほど高い電圧が感知されてもロー信号として感知することができる。このために、信号出力部１１０からロー信号が出力される信号出力経路以外の信号出力経路には、０．７Ｖより確実に大きい値の電圧を出力することが望ましい。
【００２４】
図４は、本実施の形態に係るキー入力検出装置においてキー認識信号の流れを例示した図である。例えば、ＵＰキー、ＤＯＷＮキーの入力がある場合、すなわち、スイッチＳＷ２、スイッチＳＷ３がオン状態である場合に、キー検出部１３０は、ＫＥＹＤ０の信号出力経路を通じてロー信号が出力される時点で、図２に図示した信号入力経路であるＫＥＹＳＥＮＳＥ３とＫＥＹＳＥＮＳＥ４とにロー信号、すなわち、信号感知部１２０においてキー認識信号が感知されれば、ＵＰキー、ＤＯＷＮキーの入力を認識することができる。すなわち、本実施の形態において、信号出力部１１０は、ＵＰキー、ＤＯＷＮキーの入力に応じたキー認識信号としてロー信号を出力するために、信号入力経路であるＫＥＹＳＥＮＳＥ３とＫＥＹＳＥＮＳＥ４とが、図２に図示した信号出力経路であるＫＥＹＤ０とショート状態である時、ＵＰキー、ＤＯＷＮキーの入力を判断することができる。
【００２５】
そして、このショート状態で数字キー８が押されれば、すなわち、ＳＷ１８スイッチがオン状態になれば、図４に太い線で図示した経路ａに沿って信号出力経路ＫＹＰＤ３（図２参照）にロー信号が出力される時点で、信号入力経路ＫＥＹＳＥＮＳＥ３（図２参照）にロー信号が感知されなければならない。
【００２６】
この際、実際にはスイッチＳＷ３がオン状態であるために、キー認識信号は、図４に図示したノードｎからスイッチＳＷ３方向に印加されることもある。しかし、前述したように、信号出力部１１０は、順次にロー信号を出力するために信号出力経路ＫＥＹＤ３からロー信号が出力される時、他の信号出力経路ＫＥＹＤ０、ＫＥＹＤ１、ＫＥＹＤ２、ＫＥＹＤ４は、ハイインピーダンスになる。したがって、遮断部３００であるダイオードＤ３によってロー信号がスイッチＳＷ３方向に伝達されることを阻止することができる。すなわち、スイッチＳＷ１８がオン状態になり、かつノードｎに伝達される信号出力経路ＫＥＹＤ３から出力されたキー認識信号は、信号入力経路ＫＥＹＳＥＮＳＥ３にのみ伝達されるため、信号感知部１２０は、正確に数字キー８が押された事実を感知することができる。
【００２７】
前述したように、本発明によれば、このように実際に押されていないキーが押されたと誤感知することを防止することができる。これにより、さらに多様なキー入力信号を生成させることができる。
【００２８】
以上、本発明の望ましい実施の形態を中心に説明した。当業者は、本発明が、本発明の本質的な特徴から外れない範囲で変形された形態として具現可能であるということを理解できるであろう。したがって、開示された実施の形態は限定的な観点ではなく、説明的な観点で考慮されなければならない。本発明の範囲は、特許請求の範囲に表われており、それと同等な範囲内にあるあらゆる相違点は、本発明に含まれたものと考慮されなければならない。
【符号の説明】
【００２９】
１００…制御部、１１０…信号出力部、１２０…信号感知部、１３０…キー検出部、２００…スイッチ（ＳＷ２〜ＳＷ２５スイッチ）、３００…遮断部（ダイオードＤ３〜Ｄ７）、ＫＥＹＤ０〜ＫＥＹＤ４…信号出力経路、ＫＥＹＳＥＮＳＥ０〜ＫＥＹＳＥＮＳＥ…信号入力経路。
【図１】
2009211694.tif 000003
【図２】
2009211694.tif 000004
【図３】
2009211694.tif 000005
【図４】
2009211694.tif 000006